(57)【特許請求の範囲】
【請求項１】
管状等の中空状のピン本体にロックピンを内蔵し、該ロックピンは、所要長さに切断した金属線材の中間所要部に弯曲部を形成してその突端部を支点部として、ピン本体の内周面に当接して該内周面に支持される該支点部を中心に揺動可能となっており、且つ該金属線材の両端部をそれぞれ前記弯曲部の突出方向と同一方向に屈曲して、その一端部の屈曲部を係合突起とし、他端部の屈曲部を突出軸部として、その一端部の係合突起がピン本体の上段側透孔より突出して足場建枠に係合すると共にその透孔内に退入自在であり且つ他端部の突出軸部がピン本体の下段側透孔から常時突出するようになっており、またピン本体にはばねを内蔵し、該ばねは、ロックピンの係合突起を上段側透孔から突出するように付勢するようになっており、さらに前記突出軸部の外端部には、ロックピンをばね付勢力に抗して揺動させて前記係合突起をその透孔内に退入させるように該突出軸部を引張操作するための解除レバーを設けてなる足場建枠用連結ピン。
【請求項２】
前記ロックピンの係合突起にはその先端部に、下り傾斜状の滑り面が形成されてなる請求項１に記載の足場建枠用連結ピン。
【請求項３】
前記解除レバーは、背板部と両側板部とでコ字状に形成された枠片と、背板部の一端から一体に突設された把手とからなり、前記コ字状枠片を、その両側板部の先端面がピン本体の外側面に当接すると共に前記把手が該枠片の真上に位置する状態で、ピン本体の下段側透孔から突出するロックピンの突出軸部に嵌合して、該突出軸部を両側板部にピンで枢着し、前記把手により前記コ字状枠片を下向きに回動して該枠片の下端面をピン本体外側面に当接支持させることによって、突出軸部を引張してその位置に保持するようにした請求項１または２に記載の足場建枠用連結ピン。
【発明の詳細な説明】
【０００１】
本発明は、順次上方に組み立てていくのに適した仮設用足場建枠の連結ピンに関するものである。
【０００２】
【従来の技術】
建物の建築現場において、足場建枠を順次組み立てていくには、当然に上下に対向する足場建枠を互いに連結するための連結手段を必要とする。
【０００３】
従来では、この連結手段として下方側の足場建枠の左右上端部に連結ピンを突設し、これに上方側の足場建枠の左右下端部を差し込み、しかる後、両者間にわたって略弓状の抜け止め用ロックーアームをその側面より係止して両者を互いに連結するタイプのものや、例えば実開平１−１３１７５３号公報に示すように上下の足場建枠間に連結ピンを遊嵌し、この連結ピンを所要角度回転操作することによって足場建枠と連結ピンとに設けた凹凸部を互いに係合させて上下の足場建枠を互いに連結するタイプのものが提案されている。
【０００４】
【発明が解決しようとする課題】
上記のような従来技術にあっては、いずれも下方側の足場建枠の連結ピンに上方側の足場建枠を差し込む作業とは別個に、これらの上下の足場建枠を保持しながら両者間の左右のロックアームを係止する作業や、両者間の左右の連結ピンを回転操作する作業が必要となり、そのため連結作業を行うのに少なくとも二人の作業者を必要としたり、連結作業が面倒で能率的でないという問題があった。
【０００５】
本発明は、これの難点を払拭することを解決課題とする。
【０００６】
【課題を解決するための手段】
本発明の請求項１に係る足場建枠用連結ピン１５は、管状等の中空状のピン本体１６にロックピン１８を内蔵し、該ロックピン１８は、所要長さに切断した金属線材の中間所要部に弯曲部１８ａを形成してその突端部を支点部２０として、ピン本体１６の内周面に当接して該内周面に支持される該支点部２０を中心に揺動可能となっており、且つ該金属線材の両端部をそれぞれ前記弯曲部１８ａの突出方向と同一方向に屈曲して、その一端部の屈曲部１８ｂを係合突起２１とし、他端部の屈曲部１８ｃを突出軸部２３として、その一端部の係合突起２１がピン本体１６の上段側透孔２２ａより突出して足場建枠ａに係合すると共にその透孔２２ａ内に退入自在であり且つ他端部の突出軸部２３がピン本体１６の下段側透孔２２ｂから常時突出するようになっており、またピン本体１６にはばね２４を内蔵し、該ばね２４は、ロックピン１６の係合突起２１を上段側透孔２２ａから突出するように付勢するようになっており、さらに前記突出軸部２３の外端部には、ロックピン１６をばね付勢力に抗して揺動させて前記係合突起２１をその透孔２２ａ内に退入させるように該突出軸部２３を引張操作するための解除レバー２５を設けてなるものである。
【０００７】
本発明の請求項２は、請求項１に記載の足場建枠用連結ピン１５において、ロックピン１８の係合突起２１にはその先端部に、下り傾斜状の滑り面２６が形成されてなるものである。
【０００８】
本発明の請求項３は、請求項１または２に記載の足場建枠用連結ピン１５において、解除レバー２５は、背板部３０ａと両側板部３０ｂ，３０ｂとでコ字状に形成された枠片３０と、前記背板部３０ａの一端から一体に突設された把手３１とからなり、前記コ字状枠片３０を、その両側板部３０ｂ，３０ｂの先端面がピン本体１６の外側面に当接すると共に前記把手３１が該枠片３０の真上に位置する状態で、ピン本体１６の下段側透孔２２ｂから突出するロックピン１８の突出軸部２３に嵌合して、該突出軸部２３を両側板部３０ｂ，３０ｂにピン３２で枢着し、前記把手３１を介して前記コ字状枠片３０を下向きに回動することによって、突出軸部２３を引張するようにしたものである。
【００１０】
【作用】
本発明の請求項１に係る連結ピン１５にあっては、ピン本体１６の下端部側を下方側足場建枠ｂの縦パイプ１０上端部に取付けた後、ロックピン１８の係合突起２１をピン本体１６の上段側透孔２２ａ内に退入させた状態で、上方側足場建枠ａの縦パイプ１０をピン本体１６の本体上部１６ａに差し込む。この差し込み途上では、係合突起２１がばね２４の付勢力によって縦パイプ１０の内側面に弾接している。しかして、上方側足場建枠ａの縦パイプ１０がピン本体１６への差し込み終了位置まで達したとき、係合突起２１が縦パイプ１０の係合孔１４に係合してロック状態となり、この係合突起２１によってピン本体１６と上方側足場建枠ａの縦パイプ１０とが連結され、これによって上下の足場建枠ａ，ｂが互いに連結される。
【００１１】
また、上方側足場建枠ａを下方側足場建枠ｂから取り外すときは、解除レバー２５をピン本体１６の外側面から遠ざかる方向に手で押動することにより、ロックピン１８がばね付勢力に抗し揺動して、係合突起２１が透孔２２ａ内に退入し、ロック解除の状態となる。しかして、この状態で上方側足場建枠ａの縦パイプ１０を引き抜くことにより、上方側足場建枠ａを下方側足場建枠ｂから容易に取り外すことができる。
更にまた、本発明に係る連結ピン１５にあっては、ロックピン１８を金属線材を使用して、プレス加工等により形成することによって、金属板材や角材で形成する場合に比べ、製作が簡単容易となる上に、ロックピン１８の機械的強度、特に、ピン本体１６と上方側足場建枠ａの縦パイプ１０とを連結する係合突起２１部分の曲げ強度を十分に大きくすることができて、使用上の安全性を十分確保できると共に、耐用寿命を延ばすことができる。
【００１２】
請求項２に係る連結ピン１５にあっては、上方側足場建枠ａの縦パイプ１０をピン本体１６の本体上部１６ａに差し込むことにより、その差し込み途上においてピン本体１６の上段側透孔２２ａから突出している係合突起２１の下り傾斜状滑り面２６に当接し、これにより係合突起２１がばね付勢力に抗してピン本体１６の内部側へ押動されるような負荷を受けて、係合突起２１がその透孔２２ａ内に退入し、しかして上記縦パイプ１０の下端がピン本体１６の所定位置まで来たとき、係合突起２１が縦パイプ１０の係合孔１４に係合してロック状態となる。従って、上方側足場建枠ａの縦パイプ１０をピン本体１６に差し込むだけで、上下両足場建枠ａ，ｂが自動的に連結される。
【００１３】
請求項３に係る連結ピン１５にあっては、上方側足場建枠ａを下方側足場建枠ｂから取り外すにあたり、解除レバー２５の把手３１を引き下げると、コ字状枠片３０がピン本体１６外側面に当接している両側板部３０ｂ，３０ｂの下端部を中心に回動し、これに伴いピン本体１６の下段側透孔２２ｂから突出している突出軸部２３が外側へ引張され、それによりロックピン１８は支点部２０を中心に係合突起２１が上段側透孔２２ａ内に退入する方向に揺動する。しかして、コ字状枠片３０を更に回動して該枠片３０の下端面３０ｄをピン本体１６外側面に当接支持させるようにすることにより、係合突起２１が上段側透孔２２ａ内に退入してロック解除されると共に、ロックピン１８がそのロック解除位置に保持される。このロック解除状態で、上方側足場建枠ａをピン本体１６の本体上部１６ａから引き抜くことにより、上方側足場建枠ａを下方側足場建枠ｂから容易に取り外すことができる。
【００１５】
【実施例】
図１は、上方側の足場建枠ａと下方側の足場建枠ｂとの連結前の状態を示し、各足場建枠は、左右一対の縦パイプ１０，１０と、両縦パイプ１０，１０の上端部同士ををつなぐ横パイプ１１，１１と、縦横パイプ１０，１１にわたって取付けられた補強桟１２，１２とからなるもので、横パイプ１１に足場板１３がその掛合爪１３ａを掛合させることにより懸架されるようになっている。そして、縦パイプ１０の下端部には足場板１３側に面して係合孔１４が設けられており、上下の縦パイプ１０，１０の間に本発明に係る連結ピン１５が差し込まれることになる。
【００１６】
図２は、上下の縦パイプ１０，１０の間に差し込まれた連結ピン１５を示したもので、この連結ピン１５は、上下に貫通した円管状のピン本体１６を有する。このピン本体１６は、中央部の肉厚部１７を隔ててその上下両側に本体上部１６ａと本体下部１６ｂとを形成し、本体上部１６ａに上方側足場建枠ａの縦パイプ１０が差し込まれ、そのパイプ１０下端面が肉厚部１７の上端面１７ａに当接して位置決めされ、また本体下部１６ｂに下方側足場建枠ｂの縦パイプ１０が差し込まれて、そのパイプ１０上端面が肉厚部１７の下端面１７ｂに当接して位置決めされる。しかして、上下の縦パイプ１０，１０は、ピン本体１６の本体上部１６ａ及び本体下部１６ｂにそれぞれ差し込まれて位置決めされた状態で、本発明に係る連結ピン１５の一部を構成するロックピン１８と、従来より知られている連結用突起１９によってよりピン本体１６に連結される。
【００１７】
ロックピン１８は、図２（Ａ）に示すように、上記円管状ピン本体１６に内蔵されて、その内側面所要部で支持される支点部２０を中心に揺動可能であって、その一端部の係合突起２１が、ピン本体１６の本体上部１６ａに穿設された上段側透孔２２ａより突出して上方側足場建枠ａの縦パイプ１０の係合孔１４に係合すると共にその透孔２２ａ内に退入自在であり、他端部の突出軸部２３がピン本体１６の肉厚部１７に穿設された下段側透孔２２ｂから常時突出している。また、ピン本体１６には、ロックピン１８をその係合突起２１が上段側透孔２２ａから突出するように付勢するための板ばね２４が内蔵されており、そしてロックピン１８を板ばね２４の付勢力に抗して揺動させて係合突起２１を上段側透孔２２ａ内に退入させるように前記突出軸部２３を引張操作するための解除レバー２５が設けられている。
【００１８】
上記ロックピン１８は、例えば直径９ｍｍの鉄線材（金属線材）を所要長さに切断し、そしてプレス加工等により、この鉄線材の中間所要部に湾曲部１８ａを形成してその突端部を支点部２０とすると共に、その鉄線材の両端部をそれぞれ上記湾曲部１８ａの突出方向と同一方向に屈曲して、その一方の屈曲部１８ｂを係合突起２１とし、他方の屈曲部１８ｃを突出軸部２３とすることによって形成することができる。この場合、係合突起２１の外径が９ｍｍとなるため、この係合突起２１が突入係合可能なピン本体１６の上段側透孔２２ａ及び縦パイプ１０の係合孔１４のそれぞれの内径は、例えば１０ｍｍとされる。また、下段側透孔２２ｂの内径も同じ程度とされる。因みに、ピン本体１６の外径は、４１．９ｍｍ、縦パイプ１０の外径は４８．６である。
【００１９】
このロックピン１８は、金属板材を切断加工したり、金属角材をプレス加工することによっても形成できるが、縦パイプ１０の係合孔１４が丸孔であり、しかもその内径をあまり大きくできないことから、金属板材や角材の場合には、係合突起２１部分の断面が矩形状となり、従って例えば断面が正方形の金属角材を使用してロックピン１８を形成するものとすれば、内径が１０ｍｍの係合孔１４に係合可能な係合突起２１の断面正方形の一辺の長さは、６．５ｍｍ程度となる。この場合、その係合突起２１部分の断面二次モーメントを求めると、約１４９ｍｍ4 となる。これに対し、前記のように直径９ｍｍの鉄線を使用してロックピン１８を形成した場合、係合突起２１部分の断面は円形で、その直径は９ｍｍであるから、この場合の係合突起２１部分の断面二次モーメントは、約３２２ｍｍ4 となる。従って、両者を比較して明らかなように、金属線材による場合は、その係合突起２１部分の断面二次モーメントが金属角材による場合のそれよりもはるかに大きくなり、十分な曲げ強度が得られる。また、金属線材によってロックピン１８を形成する場合は、金属板材や角材の場合よりもロックピン１８の製作が容易となる。
【００２０】
図２（Ａ）その他の図面に示されるように、上記ロックピン１８の係合突起２１にはその先端部に、下り傾斜状の滑り面２６が形成されている。しかして、ピン本体１６の本体上部１６ａに上方側足場建枠ａの縦パイプ１０を差し込むときに、この縦パイプ１０の下端が上段側透孔２２ａから突出した係合突起２１の滑り面２６に当接し、これによって係合突起２１は、板ばね２４の付勢力に抗してピン本体１６の内部側へ押動されるような負荷を受けて、その透孔２２ａ内に退入するようになっている。
【００２１】
板ばね２４は、図２（Ａ）及び（Ｂ）に示すように、山形状に形成されていて、その頂部２４ａが、ロックピン１８の係合突起２１寄りの側面部にビス２７で取付けられ、その両端部２４ｂ，２４ｂが、ピン本体１６の透孔２２ａ２２ｂとは反対側の内側面に弾接される。この板ばね２４をロックピン１８に取付けるには、上記のようにビス２７によって固着せずに、同図の（Ｃ）に示すように、ロックピン１８の側面部に突起２８を突設し、この突起２８が嵌合可能な凹部２９を板ばね２４の頂部２４ａに設けておいて、その凹部２９を突起２８に嵌合させるようにしてもよい。
【００２２】
解除レバー２５は、鋼板等の金属板によって、背板部３０ａ及び両側板部３０ｂ，３０ｂからなるコ字状の枠片３０と、背板部３０ａの一端から突設された把手３１とを一体に形成してなるもので、図２の（Ａ）に示すように、コ字状枠片３０を、その両側板部３０ｂ，３０ｂの先端面がピン本体１６の外側面に当接すると共に前記把手３１がコ字状枠片３０の真上に位置する状態で、ピン本体１６の下段側透孔２２ｂから突出するロックピン１８の突出軸部２３に嵌合させて、該突出軸部２３を両側板部３０ｂ，３０ｂにピン３２により枢着している。上記コ字状枠片３０には両側板部３０ｂ，３０ｂの先端面下端部に回動案内面３０ｃを有する。また、この場合、上記ピン３２から両側板部３０ｂ，３０ｂの下端面３０ｃまでの距離は、同ピン３２から両側板部３０ｂ，３０ｂの先端面までの距離よりも長くなっている。
【００２３】
しかして、前記把手３１を、図２（Ａ）の矢印方向に引くと、コ字状枠片３０がピン本体１６外側面に当接している両側板部３０ｂ，３０ｂの先端面下端部を中心にその回動案内面３０ｃを介して回動し、これに伴いピン本体１６の下段側透孔２２ｂから突出している突出軸部２３が外側へ引張され、それによりロックピン１８は板ばね２４の付勢力に抗して支点部２０を中心に係合突起２１が上段側透孔２２ａ内に退入する方向に揺動する。しかして、コ字状枠片３０を更に回動して該枠片３０の下端面３０ｄをピン本体１６外側面に当接支持させるようにすることにより、係合突起２１が上段側透孔２２ａ内に退入してロック解除されると共に、ロックピン１８がそのロック解除位置に保持される（図４参照）。
【００２４】
また、連結ピン１５を下方側足場建枠ｂに連結するための連結用突起１９は、周知構造のもので、図２の（Ａ）に示すように、左右一対設けられ、両連結用突起１９，１９は、断面略Ｕ字状の板ばね３３の両端部にそれぞれ取付けてあって、前記連結ピン１５の本体下部１６ｂ下端部に穿設された両透孔３４，３４から上記板ばね３３の付勢力により常時突出している。従って、使用にあたっては、上記両透孔３４，３４から突出している両連結用突起１９，１９を、板ばね３３付勢力に抗して連結ピン１５の内部に退入せしめた状態で、下方側足場建枠ｂの縦パイプ１０の上端部に差し込み、両連結用突起１９，１９を縦パイプ１０の連結孔３５，３５に係合させる。これによって、連結ピン１５は下方側足場建枠ｂの縦パイプ１０の上端部に取付けられ、一旦取付けた後は不使用時でも取り外す必要はない。
【００２５】
次に、上記のようにして下方側足場建枠ｂに取付けた連結ピン１５を介して、この下方側足場建枠ｂに上方側足場建枠ａを連結するには、図３の（Ａ）に示すように、上方側足場建枠ａの縦パイプ１０をピン本体１６の本体上部１６ａに差し込むことにより、その差し込み途上においてピン本体１６の上段側透孔２２ａから突出している係合突起２１の下り傾斜状滑り面２６に当接し、これにより係合突起２１は板ばね２４の付勢力に抗してピン本体１６の内部側へ押動されるような負荷を受け、しかしてロックピン１８は支点部２０を中心に同図面に関し時計回りに揺動し、同図の仮想線図示のように係合突起２１が上段側透孔２２ａ内に退入し、同時に突出軸部２３が下段側透孔２２ｂから更に突出する状態となる。このとき、解除レバー２５は例えば同図の仮想線図示のような状態となる。
【００２６】
しかして、図３の（Ｂ）に示すように、上記縦パイプ１０の下端面がピン本体１６の肉厚部１７の上端面１７ａに当接したとき、縦パイプ１０の係合孔１４がピン本体１６の上段側透孔２２ａと合致する状態となり、これにより係合突起２１に対する退入付勢力が解放されて、この係合突起２１が板ばね２４の付勢力により上記透孔２２ａから縦パイプ１０の係合孔１４に係合し、この係合突起２１によってピン本体１６と上方側足場建枠ａの縦パイプ１０とが連結され、これによって上下の足場建枠ａ，ｂが互いに連結されることになる。
【００２７】
上記のように、上方側足場建枠ａの縦パイプ１０下端部を、下方側足場建枠ｂの縦パイプ１０に取付けたピン本体１６の本体上部１６ａに差し込むだけで、上下両足場建枠ａ，ｂが自動的に連結されることになり、従って連結作業を一人の作業者できわめて簡単容易に行うことができる。尚、上方側足場建枠ａの縦パイプ１０の差し込み途上でロックピン１８の突出軸部２３が下段側透孔２２ｂから更に突出するとき、解除レバー２５は、図３（Ａ）の仮想線図示のように、コ字状枠片３０がピン本体１６外側面に当接している側板部３０ｂの上端部を中心に時計回りに回動することになる。
【００２８】
尚、この実施例では、ロックピン１８の係合突起２１先端部に下り傾斜状の滑り面２６を設けて、上記のように上方側足場建枠ａの縦パイプ１０を、ピン本体１６の本体上部１６ａに差し込むだけで、上下両足場建枠ａ，ｂが自動的に連結できるようにしているが、ロックピン１８の係合突起２１先端部に滑り面２６を設けない場合には、上方側足場建枠ａの縦パイプ１０をピン本体１６の本体上部１６ａに差し込むにあたり、作業者が、ピン本体１６の上段側透孔２２ａから突出している係合突起２１の先端部を、板ばね２４の付勢力に抗しピン本体１６内部側へ押動して、手動で上段側透孔２２ａ内に退入させるようにすればよく、この場合の作業も一人の作業者で容易に行うことができる。
【００２９】
一方、上方側足場建枠ａを下方側足場建枠ｂから取り外す場合には、図４に示すように、解除レバー２５の把手３１を、同図の矢印方向に引くと、コ字状枠片３０がピン本体１６外側面に当接している両側板部３０ｂ，３０ｂの先端面下端部を中心にその回動案内面３０ｃを介して回動し、これに伴いピン本体１６の下段側透孔２２ｂから突出している突出軸部２３が外方へ引張され、それによりロックピン１８は、板ばね２４の付勢力に抗して支点部２０を中心に係合突起２１が上段側透孔２２ａ内に退入する方向に揺動する。しかして、コ字状枠片３０を更に回動させ、図４の仮想線で示すようにようにコ字状枠片３０の下端面３０ｄをピン本体１６外側面に当接支持させることにより、同図の仮想線図示のように係合突起２１が上段側透孔２２ａ内に完全に退入してロック解除されると共に、ロックピン１８はこのロック解除位置に保持される（図４参照）。従って、このように係合突起２１がその透孔２２ａ内に退入したロック解除の状態で、上方側足場建枠ａをピン本体１６の本体上部１６ａから引き抜けばよい。このとき、解除レバー２５によってロックピン１８がロック解除位置に保持されるため、上方側足場建枠ａの引き抜き作業が非常に楽になる。上方側足場建枠ａの引き抜き後は、解除レバー２５の把手３１を図４の仮想線図示の位置から上方へ引き上げて同図の実線図示の位置に戻せば、ロックピン１８は元の状態、即ち係合突起２１がピン本体１６の上段側透孔２２ａから突出したロック状態に復帰することができる。
【００３０】
上記のように、上方側足場建枠ａを下方側足場建枠ｂから取り外すときは、解除レバー２５の把手３１をピン本体１６の外側面に遠ざかる方向に手で押動するだけで、ロック解除できるから、その取外し作業も一人の作業者で非常に簡単に行うことができるものである。
【００３１】
【発明の効果】
本発明の請求項１に係る連結ピンによれば、下方側足場建枠の縦パイプに取付けたピン本体に内蔵されたロックピンの係合突起をピン本体の上段側透孔内に退入させた状態で、このピン本体に上方側足場建枠の縦パイプを差し込むことによって、ピン本体と上方側足場建枠の縦パイプとを連結して、上下の足場建枠を互いに連結することができるから、その連結作業を作業者一人で容易に行うことができる。また、上方側足場建枠を下方側足場建枠から取り外すときは、解除レバーをピン本体の外側面に遠ざかる方向に手で押動するだけで、ロック解除の状態となるから、この取外し作業も簡単容易に行うことができる。従って、足場建枠の連結及び取外し作業を能率良く行うことができる。
更にまた、本発明よれば、ロックピンを金属線材で形成することによって、金属板材や角材で形成する場合に比べ、製作が簡単容易となる上に、ロックピンの機械的強度、特に、ピン本体と上方側足場建枠の縦パイプとを連結する係合突起部分の曲げ強度を十分に大きくすることができて、使用上の安全性を十分確保でき、耐用寿命を延ばすことができる。
【００３２】
請求項２に係る連結ピンによれば、上方側足場建枠の縦パイプをピン本体に差し込むだけで、上下両足場建枠を自動的に連結できるから、上方側足場建枠と下方側足場建枠との連結作業をきわめて簡単容易に行うことができる。
【００３３】
請求項３に係る連結ピンによれば、把手を引き下げるだけで、ロックピンの係合突起によるピン本体と上方側足場建枠とのロックを解除できると共に、そのロック解除位置に保持できるため、解除操作が簡単容易となり、足場建枠取外し作業の能率向上を図ることができる。
【図面の簡単な説明】
【図１】  本発明に係る連結ピンの使用状態を示す全体斜視図である。
【図２】  （Ａ）は、本発明に係る連結ピンの一実施例を示す縦断面側面図、（Ｂ）は、（Ａ）のＸ−Ｘ線断面図、（Ｃ）は、板ばねをロックピンに取付ける他の例を示す側面図である。
【図３】    （Ａ）は、上方側足場建枠を下方側足場建枠に連結するときのロックピンの作動状態を示す縦断面側面図、（Ｂ）は、ロックピンによってピン本体と上方側足場建枠とが連結された状態を示す縦断面側面図である。
【図４】  解除レバーを操作して上方側足場建枠を下方側足場建枠から取り外すときのロックピンの作動状態を示す縦断面側面図である。
【符号の説明】
ａ          上方側足場建枠
ｂ          下方側足場建枠
１０        縦パイプ
１４        縦パイプの係合孔
１５        連結ピン
１６        ピン本体
１８        ロックピン
２０        支点部
２１        係合突起
２２ａ      上段側透孔
２２ｂ      下段側透孔
２３        突出軸部
２４        板ばね（ばね）
２５        解除レバー
２６        滑り面
３０        コ字状枠片
３０ａ      背板部
３０ｂ      側板部
３１        把手
３２        ピン
【図１】
0003642592.tif 000002
【図２】
0003642592.tif 000003
【図３】
0003642592.tif 000004
【図４】
0003642592.tif 000005